(57)【要約】【課題】耐久性及び静音開閉性を満足させるとともに、グリルシャッターカーテンの早期の錆の発生と表面の汚染を防止できるようにした。【解決手段】芯パイプ６の外周であって幅方向に重なる上下のリンクプレート４の端部の間に第１消音カラー９を設け、芯パイプ６の外周であってリンクプレート４の外側面部には第２消音カラー１０を設け、第２消音カラー１０の外側部には化粧パイプ７の端部を外挿し、第１消音カラー９及び第２消音カラー１０の少なくともいずれか一方は、導電性の合成樹脂材料により構成した。【選択図】      図４
2012158889.tif 000002
【特許請求の範囲】
【請求項１】
上下多段に設けられたグリル棒材が幅方向に所定間隔で設けられたリンクプレート列により回動自在に支持されて設けられ、リンクプレート列を構成する上下のリンクプレートの互いに幅方向に重なる端部に形成された連結孔を横通するようにして、グリル棒材を構成する芯パイプが設けられ、芯パイプの外周において隣り合うリンクプレート列間にはグリル棒材を構成する化粧パイプが設けられ、少なくとも、リンクプレートとグリル棒材を構成する芯パイプとが金属材料により構成されたグリルシャッターにおいて、
前記芯パイプの外周であって前記幅方向に重なる上下のリンクプレートの端部の間には第１消音カラーが設けられ、前記芯パイプの外周であって前記リンクプレートの外側面部には第２消音カラーが設けられ、第２消音カラーの外側部には前記化粧パイプの端部が外挿され、
前記第１消音カラー及び第２消音カラーの少なくともいずれか一方は、導電性の合成樹脂材料により構成されていることを特徴とするグリルシャッター。
【請求項２】
前記芯パイプの外周であって前記リンクプレートの連結孔の内周には軸受パイプが回動自在に挿入され、前記第２消音カラーは、軸受けパイプに外挿される大径孔を有する大径部の一側に前記芯パイプに外挿される小径孔を有する小径部が一体に形成され、小径部に前記化粧パイプの端部が外挿されていることを特徴とする請求項１に記載のグリルシャッター。
【請求項３】
前記第１消音カラー及び第２消音カラーは、ポリアセタール樹脂材料中に導電性の粉末材料を分散させることにより、少なくともその表面の電気抵抗率が低下せしめられた導電性の合成樹脂材料により構成されていることを特徴とする請求項１又は２に記載のグリルシャッター。
【請求項４】
前記導電性の粉末材料として導電カーボンを用いたことを特徴とする請求項３に記載のグリルシャッター。
【請求項５】
前記グリルシャッターを構成するシャッターカーテンの両側を案内するガイドレールのガイド溝の入口部両側に設けられた消音帯は、導電性の合成樹脂材料により構成されていることを特徴とする請求項１乃至４のいずれかに記載のグリルシャッター。
【請求項６】
前記グリルシャッターを構成するシャッターカーテンは、グリルシャッター部の一部にスラットカーテンにより構成されたスラットカーテン部が設けられた複合構造であることを特徴とする請求項１乃至５のいずれかに記載のグリルシャッター。
【発明の詳細な説明】
【技術分野】
【０００１】
本発明は建物の開口部などを開閉するグリルシャッターに関し、特に、グリルシャッターを構成するリンクプレートとグリル棒材（一般的には金属製パイプ）との連結部の構造に関する。
【背景技術】
【０００２】
グリルシャッターは、これによって区画される内外を遮蔽すると同時に見通しを確保するようにした構造のシャッターであり、上下多段に水平配列される一般的には金属製パイプ同士を同じく金属製リンクプレートを介して回動可能に連結した構造である。ところが、金属製パイプと金属製リンクプレートとを直接連結した状態では、金属−金属の接触となるため、巻取時や展張時に金属同士の擦れ音による異音や消耗の発生原因となっていた。
【０００３】
そこで、本出願人は先に連結部に合成樹脂製の消音カラーを設け、消音カラーを金属製パイプと金属製リンクプレートとの間に介設することによって異音の発生を防止し、スムーズで高速な開閉動作を行うことを可能とすることにより、耐久性及び静音開閉性を向上させたグリルシャッターを開発した（特許文献１参照）。
【先行技術文献】
【特許文献】
【０００４】
【特許文献１】特開２００６−１１８３０９号公報
【発明の概要】
【発明が解決しようとする課題】
【０００５】
ところがこの従来の構造によれば、パイプ及びリンクプレートが金属製であるにも関わらず、軸受部の樹脂による消音カラーにより結果的に静電気の逃道が断たれてしまうため、シャッターカーテンが帯電して、パイプやリンクプレートの表面に鉄分やその錆などの塵埃が付着帯電し、汚れが発生する新たな問題が判明した。
【０００６】
本発明は、以上の課題を解決するものであって、その目的は、従来の利点を享有しつつ、パイプやリンクプレートに対する鉄錆その他帯電した塵埃の吸着を防止して、早期の錆の発生と表面の汚染を防止できるようにしたグリルシャッターを提供するものである。
【課題を解決するための手段】
【０００７】
上記の課題を達成させるための手段を、図の実施形態を参照して説明する。
請求項１の発明は、上下多段に設けられたグリル棒材５が幅方向に所定間隔で設けられたリンクプレート４列により回動自在に支持されて設けられ、リンクプレート４列を構成する上下のリンクプレート４，４の互いに幅方向に重なる端部に形成された連結孔４ａ，４ａを横通するようにして、グリル棒材５を構成する芯パイプ６が設けられ、芯パイプ６の外周において隣り合うリンクプレート４，４列間にはグリル棒材５を構成する化粧パイプ７が設けられ、少なくとも、リンクプレート４とグリル棒材５を構成する芯パイプ６とが金属により構成されたグリルシャッターにおいて、
前記芯パイプ６の外周であって前記幅方向に重なる上下のリンクプレート４の端部の間には第１消音カラー９が設けられ、前記芯パイプ６の外周であって前記リンクプレート４の外側面部には第２消音カラー１０が設けられ、第２消音カラー１０の外側部には前記化粧パイプ７の端部が外挿され、
前記第１消音カラー９及び第２消音カラー１０の少なくともいずれか一方は、導電性の合成樹脂材料により構成されていることを特徴とするグリルシャッターにある。
前記第１消音カラー９及び第２消音カラー１０の双方を導電性の合成樹脂材料により構成させることができる。また、第２消音カラー１０のみを導電性の合成樹脂材料により構成し、第１消音カラー９は導電性を有しない潤滑性の合成樹脂材料により構成することができる。
【０００８】
請求項２は、前記芯パイプ６の外周であって前記リンクプレート４の連結孔４ａの内周には軸受パイプ８が回動自在に挿入され、前記第２消音カラー１０は、軸受けパイプ８に外挿される大径孔を有する大径部１０ａの一側に前記芯パイプ６に外挿される小径孔を有する小径部１０ｂが一体に形成され、小径部１０ｂに前記化粧パイプ７の端部が外挿されていることを特徴とする。
軸受パイプ８は、金属又は硬質合成樹により形成させることができる。軸受パイプ８を導電性の合成樹脂材料により構成することもできる。
【０００９】
請求項３は、前記第１消音カラー９及び第２消音カラー１０は、ポリアセタール樹脂材料中に導電性の粉末材料を分散させることにより、少なくともその表面の電気抵抗率が低下せしめられた導電性の合成樹脂材料により構成されていることを特徴とする。
【００１０】
請求項４は、前記導電性の粉末材料として導電カーボンを用いたことを特徴とする。
【００１１】
請求項５は、前記グリルシャッターを構成するシャッターカーテン１の両側を案内するガイドレール１３のガイド溝１３ａの入口部両側に設けられた消音帯１４は、導電性の合成樹脂材料により構成されていることを特徴とする。
消音帯１４は、ポリアセタール樹脂材料中に導電性の粉末材料である導電カーボンを分散させることにより、少なくともその表面の電気抵抗率が低下せしめられた導電性の合成樹脂材料により構成されていることが望ましい。
【００１２】
本発明のクリルシャッターを構成するシャッターカーテンは、グリルシャッター部の一部にスラットカーテンにより構成されたスラットカーテン部が設けられた複合構造とすることができる。
【発明の効果】
【００１３】
本発明によれば、グリルシャッターを構成する、少なくとも芯パイプとリンクプレートとの間に、合成樹脂製の消音カラーを介設させることにより、シャッターの開閉時における、異音の発生を防止し、スムーズな動きを確保する上、消音カラーを導電性の合成樹脂材料により構成させるようにしたので、静電気による金属粉の帯電がなく、グリル棒材とリンクプレートの連結部分周縁におけるシャッターカーテン表面の発錆や、錆の付着を防止できる。
【００１４】
さらに本発明に係る消音カラーとして用いる導電性の合成樹脂材料として、ポリアセタール樹脂材料中に導電性の粉末材料である導電カーボンを分散させることによりその表面の電気抵抗率を低下せしめた材料を用いることにより、その消音効果と防錆効果が一層高度に達成でき、また、材料費も安価に構成できる。
【図面の簡単な説明】
【００１５】
【図１】本発明を適用したグリルシャッターの全体構成を示す正面図である。
【図２】同側面図である。
【図３】（ａ），（ｂ）は同グリルシャッターにおけるグリル棒材とリンクプレートとの連結部分を示す分解斜視図（ａ）と一部分解斜視図（ｂ）である。
【図４】同連結部分を示す断面図である。
【図５】側端部の同連結部分を示す断面図である。
【図６】第２消音カラーの拡大断面図である。
【図７】第１消音カラーの拡大断面図である。
【図８】同グリルシャッターのガイドレールの部分を示す拡大斜視図と拡大断面図である。
【図９】（ａ），（ｂ）は、シャッターカーテンの全体をグリルシャッター部により構成したグリルシャッターの正面図（ａ）と、上半部をグリルシャッター部、下半部をスラットシャッター部で構成した複合形のグリルシャッターの正面図（ｂ）である。
【発明を実施するための形態】
【００１６】
以下、本発明を適用したグリルシャッターの実施形態を図１乃至図８を参照して説明する。
図１、図２において、実施形態のグリルシャッターは、そのシャッターカーテン１の本体を構成する格子状のグリルシャッター部１Ａの上端部には吊り元部２が連結され、グリルシャッター部１Ａの下端部には座板３が連結されている。シャッターカーテン１は吊り元部２を介して巻取りドラム（図示せず）に巻き取られるようになっており、巻取りドラムの回転によりシャッターカーテン１が開閉されるようになっている。
【００１７】
グリルシャッター部１Ａは、左右所定間隔で上下方向に連続して設けられたリンクプレート４列と、該リンクプレート４列により回動自在に支持された状態で、上下所定間隔で幅方向に掛け渡された所要本数のグリル棒材５と、よりなる。
【００１８】
グリル棒材５は、図３、図４に示されるように、グリルシャッター部１Ａを幅方向に全通する芯パイプ６と芯パイプ６の外周に外嵌される化粧パイプ７とにより構成される。リンクプレート４の上下端部には連結孔４ａが形成されている。芯パイプ６は、上下に隣接するリンクプレート４の、互いに幅方向に重なる上下端部の連結孔４ａ，４ａを貫通して設けられている。化粧パイプ７は、芯パイプ６の外周に外挿されて設けられ、左右のリンクプレート４列の間において、左右のリンクプレート４列の間隔に対応して、分割して設けられている。
【００１９】
上記縦方向のリンクプレート４列のうち、グリルシャッター部１Ａの幅方向中間部分の複数列のリンクプレート４列は、図３及び図４に示すように、上部又は下部の一枚のリンクプレート４の端部の左右両面を、下部又は上部の二枚のリンクプレート４，４の端部が挟むようにして縦方向に連続して設けられている。また、グリルシャッター部１Ａの幅方向両側端部のリンクプレート４列は、図５に示すように、上部又は下部の一枚のリンクプレート４の端部の片面に、下部又は上部の一枚のリンクプレート４の端部の片面が幅方向に重なるようにして縦方向に連続して設けられている。
【００２０】
上記グリル棒材５を構成する芯パイプ６と化粧パイプ７、及び、上記各リンクプレート４は、金属材料（例えば鋼製又はステンレス製）により形成されている。化粧パイプ７は、金属材料（例えば鋼製又はステンレス製）又は硬質プラスチックにより形成させることができる。
【００２１】
各リンクプレート４の連結孔４ａの内周であって、芯パイプ６の外周には軸受パイプ８が回動自在に挿入されている。軸受パイプ８は、金属材料（例えば鋼製又はステンレス製）又は硬質プラスチックによる硬質材料により形成されている。
【００２２】
図３及び図４の幅方向中間部分のリンクプレート４列の連結部分では、軸受パイプ８の外周であって、リンクプレート４の外側面には、平座金形状の第１消音カラー９，９が設けられいる。第１消音カラー９，９は、一枚のリンクプレート４の両側面と下部又は上部の二枚のリンクプレート４，４の対向外面に接している。第１消音カラー９は、図７に示すように、平座金形状をなし、その外周の内部には、外周に沿ってリング状に、色がわりの摩耗告知リング９ｂが設けられている。また、第１消音カラー９の両外側面には、リング状に非接触溝９ａが形成されている。
【００２３】
軸受パイプ８の外周であって、上記二枚のリンクプレート４，４の両外側面には、左右一対の第２消音カラー１０，１０が設けられている。第２消音カラー１０は、図６に示すように、軸受パイプ８に外挿される大径孔を有する大径部１０ａの一側に、芯パイプ６に外挿される小径孔を有する小径部１０ｂを有する鍔付きリング形状を有している。第２消音カラー１０の小径部１０ｂの外周には、化粧パイプ７の端部が外挿されている。第２消音カラー１０の大径部１０ａの大径孔の内周には、軸方向に沿って、圧入用のリブ１０ｃが形成されている。また、大径部１０ａの外側面には、リング状に非接触溝１０ｄが形成されている。
【００２４】
上記第１消音カラー９及び上記第２消音カラー１０は、平滑性を有する導電性の合成樹脂材料により構成されている。
【００２５】
上記導電性の合成樹脂材料は、合成樹脂中に耐電防止剤を含有させることにより、少なくとも表面の電気抵抗率が低下された導電性の合成樹脂材料である。より具体的には、耐久性が高く摺動製の良好なポリアセタール樹脂に導電カーボン粉末を均一に混合分散したものをそれぞれの形状に成形したものが用いられている。
【００２６】
これによって、グリルシャッターカーテンの表面に帯電した鉄錆の粉末やその他の塵埃が静電気により吸着することを防止し、リンクプレート及びグリル棒材の表面を常時美麗に保護している。本発明の実施例に係る導電性の合成樹脂材料は、その表面抵抗が６０Ωとされ、改良されたことが、実験により確認している。
【００２７】
図５は、グリルシャッター部１Ａの側端部の連結部を示す。
側端部のグリル棒材５では、リンクプレート４列の側方に突出する芯パイプ６の端部に、端部キャップ１１が外挿されて設けられている。端部キャップ１１は、上下のリンクプレート４列のガタツキをなくした状態で芯パイプ６の端部に外挿され、抜止めピン１２が端部キャップ１１と芯パイプ６を貫通することにより、固定して設けられている。その他の連結部の構造と作用は、上記中間部分の連結部の構造と同様である。
【００２８】
端部キャップ１１は、上記第１消音カラー９及び上記第２消音カラー１０と同様の導電性の合成樹脂材料により構成されている。
【００２９】
図８は、上記グリルシャッターの両側のガイドレール部分を示している。
ガイドレール１３の略コ形ガイド溝１３ａ内入口部両側には、ガイド溝１３ａの縦方向に沿って消音帯１４が固定されている。この消音帯１４も前記と同じくポリアセタール樹脂に導電カーボン粉末を均一に混合分散した導電性の合成樹脂材料により構成されている。
ガイドレール１３の本体は、金属材料（例えば、鋼製、ステンレス製又はアルミ製）により形成されている。消音帯１４は、ガイドレール１３の金属材料よりなる本体部分に設置されている。
ガイドレール１３から、グリルシャッターを構成する躯体の鉄骨などの導電性金属材料部分を介して、アースされている。また、アースされていない場合でも、前記第１消音カラー９、第２消音カラー１０、端部キャップ１１、及び消音帯１４の各部品の少なくとも一部を導電性の合成樹脂材料により構成することによって、シャッターカーテンの局所で発生した電荷をシャッターカーテン全体に拡散して、帯電の影響を軽減させることができる。
【００３０】
図９（ａ），（ｂ）は、本発明に係るグリルシャッターの異なる実施態様を示している。
本発明に係るグリルシャッターは、図９（ａ）に示すように、シャッターカーテンの全領域を上記と同様のグリルシャッター部１Ａにより構成してもよい。また、図９（ｂ）に示すグリルシャッターのように、シャッターカーテンの一部（閉鎖時における上部）の領域をグリルシャッター部１Ａにより構成し、他の領域（閉鎖時における下部）をスラットカーテン部１Ｂにより構成してもよい。前者図９（ａ）の場合には、全体の見通しと通気を確保でき、後者図９（ｂ）の場合には、シャッター閉時に、下部のスラットカーテン部１Ｂにより、内部が隠蔽されるため防盗上有利である。
【符号の説明】
【００３１】
１  シャッターカーテン、１Ａ  グリルシャッター部、１Ｂ  スラットカーテン部
２  吊り元部
３  座板
４  リンクプレート，４ａ  連結孔
５  グリル棒材
６  芯パイプ
７  化粧パイプ
８  軸受パイプ
９  第１消音カラー，９ａ  摩耗告知リング，９ｂ  非接触溝
１０  第２消音カラー，１０ａ  大径部，１０ｂ  小径部，１０ｃ  リブ，１０ｄ  非接触溝
１１  端部キャップ
１２  抜止めピン
１３  ガイドレール，１３ａ  ガイド溝
１４  消音帯
【図１】
2012158889.tif 000003
【図２】
2012158889.tif 000004
【図３】
2012158889.tif 000005
【図４】
2012158889.tif 000006
【図５】
2012158889.tif 000007
【図６】
2012158889.tif 000008
【図７】
2012158889.tif 000009
【図８】
2012158889.tif 000010
【図９】
2012158889.tif 000011